(57)【要約】      （修正有）【課題】音楽用五線上のランプの点燈によって前もって案内される歌やメロディの一音毎の音階と長さ及びリズムの表示マークを見ながらマイクロフォンに発声して前記音楽用五線上に表示される自分の発声音の音階と長さを表すランプ点燈と比較して二つの音のずれを目で確認しながらその都度発声を修正して歌を正確に歌う練習をしたり歌を覚えたりできる音声案内表示装置を提供する。【解決手段】再生装置と、周波数判別回路９と、音階毎に配列した音案内表示ランプ表示回路１０と、マイクロフォン１と、音案内表示に対する比較達成度によってランプ１４を消灯、点燈するランプ表示回路４と、音階測定表示手段Ａ、Ｂを内装し、ケーシング１９の前面に音楽用五線を記し音階毎に配列した音階測定表示手段の表示ランプ１４が前記音楽用五線と平行方向にそれぞれ複数並列し、二つのランプ点燈を視覚で比較して二つの音のずれを把握する。【選択図】図１
2012042906.tif 000002
【特許請求の範囲】
【請求項１】
あらかじめ音データが記憶されたコンパクトディスク等の再生装置と、該装置からの再生信号を増幅する回路と、増幅周波数が何れの音階の周波数に該当するかを選別する周波数判別回路と、該判別後の周波数に該当する音階毎に配列した音案内表示となるランプを点燈させるランプ表示回路と、該ランプ表示回路を制御する制御装置とから成る案内音階測定表示手段（Ａ）、及びマイクロフォンからの音声入力信号を増幅する回路と、前記と同様な周波数判別回路と、該周波数判別の結果が音案内表示に対する比較達成度によってランプを消灯させたり点燈のしかたを変えたりするランプ表示回路と、該ランプ表示回路を制御する制御装置と、から成る比較音階測定表示手段（Ｂ）を具備し、適宜のケーシング内に音階測定表示手段（Ａ、Ｂ）を内装し、該ケーシングの前面に音楽用五線を記し音階毎に配列した音階測定表示手段の表示ランプが前記音楽用五線と平行方向にそれぞれ複数並列したことを特徴とする音声案内表示装置。
【請求項２】
前記音案内表示となるランプは、一音毎の長さに比例する長さの帯状の表示マークで音階に対応する音楽用五線上の位置に表示され、リズム案内表示である一拍をＶ字状マークで表示するランプと平行方向に移動するように表示されることを特徴とする請求項１の音声案内表示装置。
【請求項３】
前記案内表示に対する発声のリズムと音階のずれを記録する記録手段を具備したことを特徴とする請求項１の音声案内表示装置。
【発明の詳細な説明】
【技術分野】
【０００１】本発明は、二つの音を音楽用五線上にランプで表示して比較する装置に関するものである。
【背景技術】
【０００２】  近年、再生音に合うように楽器を操作してリズムや音の比較を画面上に表示する遊具が増えてきた。そして、これに関する装置やプログラムが開発されている。（例えば、特許文献１参照。）【０００３】  この特許文献１の装置はゲーム操作が行われたタイミングと基準操作タイミングとがずれたことをプレイヤに把握させ、その後のゲーム操作を調節することができることを目的としたゲーム装置の制御方法とプログラムであることを特徴としている。
【特許文献１】  特開２００９−０９５４８８号公報
【発明の開示】
【発明が解決しようとする課題】
【０００４】ゲーム操作が行われたタイミングと基準操作タイミングとがずれたことをプレイヤに音で把握させる方法ではタイミングのとりかたを視覚で具体的に知らせることができなかった。また、ゲームに使用することを目的としていて、結果を評価しそれに基づいて以降のゲームに役立てることに主眼がおかれている。
さらに、発声音を入力する音声入力装置を具備してその音を比較対象の一方とすることはできなかった。【０００５】  本発明は、上記従来技術の問題点を解決することを課題とする。具体的には、
音楽用五線上のランプの点燈によって前もって案内される歌やメロディの一音毎の音階と長さ及びリズムの表示マークを見ながら本体に具備された音声入力装置のマイクロフォンに発声して前記音楽用五線上に表示される自分の発声音の音階と長さを表すランプ点燈と比較して二つの音のずれを目で確認しながら瞬時にその都度発声を修正して歌を正確に歌う練習をしたり歌を覚えたりできる音声案内表示装置を提供することである。
【課題を解決するための手段】
【０００６】  本発明の音声案内表示装置は、あらかじめ音データが記憶されたコンパクトディスク等の再生装置７と、該装置からの再生信号を増幅する回路８と、増幅周波数が何れの音階の周波数に該当するかを選別する周波数判別回路９と、該判別後の周波数に該当する音階毎に配列した音案内表示となるランプ１４を点燈させるランプ表示回路１０と、該ランプ表示回路１０を制御する制御装置１１とから成る案内音階測定表示手段（Ａ）、及びマイクロフォン１からの音声入力信号を増幅する回路２と、前記と同様な周波数判別回路３と、該周波数判別の結果が音案内表示に対する比較達成度によって音案内表示となるランプ１４を消灯させたり点燈のしかたを変えたりするランプ表示回路４と、該ランプ表示回路４を制御する制御装置５と、から成る比較音階測定表示手段（Ｂ）を具備し、適宜のケーシング１９内に音階測定表示手段（Ａ、Ｂ）を内装し、該ケーシング１９の前面に音楽用五線１５を記し音階毎に配列した音階測定表示手段の表示ランプ１４が前記音楽用五線１５と平行方向にそれぞれ複数並列したことを特徴とし、（Ａ、Ｂ）二つのランプ点燈を視覚で比較して二つの音のずれを把握することができる。
【発明の効果】
【０００７】  本発明の音声案内表示装置は、あらかじめ記憶された音データを再生し一音毎の音階と長さの案内表示となるランプを音楽用五線上に点燈させる案内音階測定表示手段（Ａ）と、マイクロフォンからの音声を入力して案内表示に対する発声の比較達成度によってランプを消灯させたり点燈のしかたを変えたりする比較音階測定表示手段（Ｂ）と、によって一般の人が容易に歌の歌詞やメロディを覚えたり歌を正確に歌えるようになったり、またはその確認が視覚的にできる効果がある。
【発明を実施するための最良の形態】
【０００８】  図面を使って、本発明の実施の形態を説明する。
図１は、本発明の構成を示す機能ブロック図であり、図２は本発明に係る装置の外観前面を示す正面図であり、図３はこの外観前面の表示面を示す正面図の一例である。
案内音階測定表示手段（Ａ）は、あらかじめ音データが記憶されたコンパクトディスク等の再生装置７と、該装置からの再生信号を増幅する回路８と、増幅周波数が何れの音階の周波数に該当するかを選別する周波数判別回路９と、判別後の周波数に該当する音階毎に複数配列した音案内表示ランプ１４を点燈させるランプ表示回路１０と、前記周波数判別を短時間等間隔で連続して行う結果から一音毎の長短を判断する方法と、該方法によって前記ランプ表示回路１０を制御する制御装置１１とから成っている。
また、比較音階測定表示手段（Ｂ）は、マイクロフォン１からの音声入力信号を増幅する回路２と、前記と同様な周波数判別回路３と、判別後の周波数に該当する音階毎に配列した比較列１６の表示ランプを点燈させるランプ表示回路と、音案内表示に対する発声の比較達成度によって音案内表示となるランプ１４を消灯させたり点燈のしかたを変えたり制御する制御装置５とから成っている。
また、適宜のケーシング１９内に音階測定表示手段（Ａ，Ｂ）を内装し、該ケーシング１９の前面に音楽用五線１５を記し音階レベル毎に配列した音階測定表示手段（Ａ）の音案内表示ランプ１４が図２に示すように前記音楽用五線１５と平行方向にそれぞれ複数設置されている。
前記音案内表示となるランプ１４は、音階レベルに対応する前記音楽用五線１５上の位置に点燈し発声音の長短に比例した一音毎の長さの帯状マークで表示され、ランプ表示回路１８によって点燈する一拍をＶ字状マークで二分割表示するリズム案内表示のランプ１３と平行方向に移動表示されるようになっていて、前記コンパクトディスク等の再生装置７で再生されたメロディや歌が一音毎に分解され帯状マーク群とＶ字状マーク群となってメロディや歌の速度にあわせて前記音楽用五線１５上に平行状態に移動して流れるように表示される。
なお、本実施例においては、音階測定表示手段の再生装置７の出力端子から、増幅器を内蔵したスピーカー１２を接続して、音案内表示のランプ１４点燈のタイミングにあうように制御されたコンパクトディスク等の再生音声の聴取を可能としている。
また、音案内表示に対する発声音の比較達成度を記録する記録手段（Ｃ）の記録装置６を具備し、案内音階測定表示手段（Ａ）と比較音階測定表示手段（Ｂ）の周波数判別の結果を記録紙に記録して歌やメロディの再生後に二つの音のずれを目で確認することができる。【０００９】  なお、音案内表示となる表示ランプ１４と、該表示ランプ１４を時間経過に応じてランプ点燈を制御する制御装置１１や音案内表示に対する発声の比較達成度によって音案内表示となるランプ１４を消灯させたり点燈のしかたを変えたり制御する制御装置５のかわりにコンピュータ及びディスプレイを使用して接続してもよく、その場合はより詳細な音案内表示が可能となる。
【実施例】
【００１０】  次に、本発明における裏当金について具体的に説明する。
【実施例１】
【００１１】  本発明の音声案内表示装置の実施例について述べる。図１は、本発明の構成を示す機能ブロック図であり、図２は本発明に係る装置の外観前面を示す正面図であり、図３はこの外観前面の表示面を示す正面図の一例である。
案内音階測定表示手段（Ａ）の構成部材であるコンパクトディスク等の再生装置７を再生すると、再生信号が増幅回路８で増幅され、周波数判別回路９で増幅周波数が何れの音階の周波数に該当するかを判別し、判別後の周波数に該当する音階毎に複数配列した表示ランプ１４を点燈させるランプ表示回路１０で、ケーシング１９の前面に設けた案内音階測定表示手段（Ａ）の表示ランプ１４を点滅させていくものとなり、周波数判別を短時間等間隔で連続して行う結果から一音毎の長短を判断する方法、例えば１秒間に５回の周波数判別によって、ランプ表示回路１０を制御して時間経過に応じてランプの点燈が最右列から最左列へ横隣りに順送りされるようにして、コンパクトディスク等に記録された歌やメロディが如何なる音階レベルにあるのかを表示するものとなる。
また、音案内表示となるランプ１４点燈による表示方法は、あらかじめケーシング１９の前面に記された音楽用五線１５上の音階レベルに対応する位置に点燈して発声音の長短に比例した一音毎の長さの帯状マークで表示され、あらかじめ制御装置１７に設定したリズムテンポで一拍をＶ字状マークで二分割表示してリズムをとりやすくするリズム案内表示のランプ１３と平行方向に移動表示されるようになっていて、前記コンパクトディスク等の再生装置７で再生されたメロディや歌が一音ごとに分解されて帯状マーク群とＶ字状マーク群とがメロディや歌の速度にあわせて音楽用五線１５上に平行状態に移動して流れるように表示される。
一方、比較音階測定表示手段（Ｂ）の構成部材であるマイクロフォン１からの音声入力信号は、増幅回路２により増幅され、周波数判別回路３で増幅周波数が何れの音階の周波数に該当するかを選別し、判別後の周波数に該当する音階毎に配列した比較列の表示ランプ１６を点燈させるランプ表示回路４と、音案内表示に対する発声の比較達成度によってケーシング１９の前面に設け色分けされた案内音階測定表示手段（Ａ）の比較列のランプ１６を消灯させたり点燈のしかたを変えたりするのを制御装置５で制御される。
前記コンパクトディスク等の再生装置７でメロディや歌が再生されて表示される音声の周波数の音階レベル及び音の長短と、マイクロフォン１に自己が発した音声の周波数の音階レベル及び発声音の長短が同時に表示されるものとなり、比較列のランプ１６上で二つの音が重なることによって消灯させたり点燈のしかたを変えたりして点燈のしかたで音案内表示に対する発声の比較達成度を視覚上で確認でき、二つの音のずれを目で確認しながら瞬時にその都度発声を修正して音階レベルの高低の調整を行うことができる。
【図面の簡単な説明】
【００１２】
【図１】本発明の音声案内表示装置の構成を示す機能ブロック図である。
【図２】本発明に係る音声案内表示装置の外観前面を示す正面図である。
【図３】帯状マーク群とＶ字状マーク群を示す表示面の一例を示す図である。
【符号の説明】
【００１３】１、マイクロフォン
２、増幅回路
３、周波数判別回路
４、ランプ表示回路
５、制御装置
６、記録装置
７、再生装置
８、増幅回路
９、周波数判別回路
１０、ランプ表示回路
１１、制御装置
１２、スピーカー
１３、表示ランプ
１４、表示ランプ
１５、音楽用五線
１６、比較列ランプ
１７、制御装置
１８、ランプ表示回路
１９、ケーシング
【図１】
2012042906.tif 000003
【図２】
2012042906.tif 000004
【図３】
2012042906.tif 000005